(57)【要約】【課題】バリスタ素子とリード端子とを接着する導電性接着剤の一部が余分な導電性接着剤として、リード端子に沿って流れ出ないようにして、バリスタ特性の劣化を抑制したバリスタ部品を提供することを目的としている。【解決手段】扁平な円柱状のバリスタ素子２２と、導電性接着剤２８を介してバリスタ素子２２と接着した第１リード端子３０と、バリスタ素子２２と接着した第２リード端子と、このバリスタ素子２２を被覆するように絶縁樹脂でモールドした略方形状の外装部３４とを備え、第１リード端子３０と第２リード端子には、バリスタ素子２２の中央近傍部と対向する位置に貫通孔３６を設けるとともに、バリスタ素子２２の外側部と対向する位置に貫通孔３６を設け、これらの貫通孔３６から導電性接着剤２８の一部をはみ出させた構成である。【選択図】図１
2006196817.tif 000002
【特許請求の範囲】
【請求項１】
バリスタ素子と、導電性接着剤を介して前記バリスタ素子と接着したリード端子とを備え、前記リード端子には、前記バリスタ素子と対向する位置に貫通孔を設けるとともに、前記貫通孔から前記導電性接着剤の一部をはみ出させたバリスタ部品。
【請求項２】
前記貫通孔は、前記バリスタ素子の外側部と対向する位置に設けた請求項１記載のバリスタ部品。
【発明の詳細な説明】
【技術分野】
【０００１】
本発明は、各種電子機器のサージ対策用として用いるバリスタ部品に関するものである。
【背景技術】
【０００２】
以下、従来のバリスタ部品について図面を参照しながら説明する。
【０００３】
図４は従来のバリスタ部品の一部透視斜視図、図５は外装部形成前の同バリスタ部品の断面図である。
【０００４】
図４、図５において、従来のバリスタ部品は、扁平な円柱状のバリスタ素子２と、このバリスタ素子２の上面に形成した上面電極４および下面に形成した下面電極６と、導電性接着剤８を介してバリスタ素子２の上面電極４と接着した第１リード端子１０と、バリスタ素子２の下面電極６と接着した第２リード端子１２と、このバリスタ素子２を被覆するように絶縁樹脂でモールドした外装部１４とを備えている。
【０００５】
第１リード端子１０と第２リード端子１２は、各々バリスタ素子２の中央部で接着し、バリスタ素子２の外方に引き出すとともに外装部１４から突出させている。
【０００６】
外装部１４から突出させた第１リード端子１０と第２リード端子１２は外装部１４に沿って折曲し、バリスタ部品を形成している。
【０００７】
なお、この出願の発明に関連する先行技術文献情報としては、例えば、特許文献１が知られている。
【特許文献１】実開昭６３−１５２２０１号公報
【発明の開示】
【発明が解決しようとする課題】
【０００８】
上記構成では、導電性接着剤８を介してバリスタ素子２と第１リード端子１０および第２リード端子１２が接着されるが、導電性接着剤８の塗布量が多い場合に、外装部１４の側面に折曲された第１リード端子１０および第２リード端子１２まで、余分な導電性接着剤８が流れる場合がある。この際、流れ出た余分な導電性接着剤８と第１リード端子１０または第２リード端子１２との距離（Ｌ）が、第１リード端子１０と第２リード端子１２との所定距離（Ｗ）よりも短くなることがあり、所定のバリスタ特性が得られないという問題点を有していた。
【０００９】
本発明は上記問題点を解決するものであり、バリスタ素子とリード端子とを接着する導電性接着剤の一部が余分な導電性接着剤として、リード端子に沿って流れ出ないようにして、バリスタ特性の劣化を抑制したバリスタ部品を提供することを目的としている。
【課題を解決するための手段】
【００１０】
上記目的を達成するために本発明は、特に、バリスタ素子と、導電性接着剤を介して前記バリスタ素子と接着したリード端子とを備え、前記リード端子には、前記バリスタ素子と対向する位置に貫通孔を設けるとともに、前記貫通孔から前記導電性接着剤の一部をはみ出させた構成である。
【発明の効果】
【００１１】
上記構成により、リード端子には、バリスタ素子と対向する位置に貫通孔を設けるとともに、この貫通孔から導電性接着剤の一部をはみ出させているので、導電性接着剤の一部が余分な導電性接着剤となったとしても、余分な導電性接着剤は、貫通孔からはみ出るのでリード端子に沿って流れ出ない。したがって、バリスタ特性の劣化を抑制することができる。
【発明を実施するための最良の形態】
【００１２】
以下、実施の形態を用いて、本発明の全請求項に記載の発明について、図面を参照しながら説明する。
【００１３】
図１は本発明の一実施の形態におけるバリスタ部品の一部透視斜視図、図２は外装部形成前の同バリスタ部品の平面図、図３は外装部形成前の同バリスタ部品の断面図である。
【００１４】
図１〜図３において、本発明の一実施の形態におけるバリスタ部品は、扁平な円柱状のバリスタ素子２２と、バリスタ素子２２の上面に形成した上面電極２４および下面に形成した下面電極２６と、導電性接着剤２８を介してバリスタ素子２２の上面電極２４と接着した第１リード端子３０と、バリスタ素子２２の下面電極２６と接着した第２リード端子３２と、このバリスタ素子２２を被覆するように絶縁樹脂でモールドした略方形状の外装部３４とを備えている。
【００１５】
第１リード端子３０と第２リード端子３２には、バリスタ素子２２の中央近傍部と対向する位置に貫通孔３６を設けるとともに、バリスタ素子２２の周縁の外側部と対向する位置に貫通孔３６を設け、これらの貫通孔３６から導電性接着剤２８の一部をはみ出させている。この第１リード端子３０と第２リード端子３２は、バリスタ素子２２の外方に引き出すとともにバリスタ素子２２の外形に沿って折曲し、さらに、外装部３４から突出させるとともに外装部３４に沿って折曲して、バリスタ部品を形成している。
【００１６】
上記構成により、第１リード端子３０および第２リード端子３２には、バリスタ素子２２と対向する位置に貫通孔３６を設けるとともに、この貫通孔３６から導電性接着剤２８の一部をはみ出させているので、導電性接着剤２８の一部が余分な導電性接着剤２８となったとしても、余分な導電性接着剤２８は第１リード端子３０または第２リード端子３２に沿って流れ出ない。したがって、余分な導電性接着剤２８と第１リード端子３０または第２リード端子３２との距離が、第１リード端子３０と第２リード端子３２との所定距離よりも短くならず、バリスタ特性の劣化を抑制できる。
【００１７】
特に、バリスタ素子２２の周縁の外側部と対向する位置に設けた貫通孔３６により、第１リード端子３０および第２リード端子３２の先端から貫通孔３６までの距離に応じて、第１リード端子３０とバリスタ素子２２との接着力、第２リード端子３２とバリスタ素子２２との接着力を抑制できるので、接着力を考慮して貫通孔３６の位置決めを行える。
【００１８】
さらに、貫通孔３６からはみ出た導電性接着剤２８は、くさびの役目を果たしてアンカー効果を生ずるので、接着力を向上できる。
【産業上の利用可能性】
【００１９】
以上のように本発明にかかるバリスタ部品は、バリスタ素子とリード端子とを接着する導電性接着剤の一部が余分な導電性接着剤として、リード端子に沿って流れ出ないようにして、バリスタ特性の劣化を抑制できるので、各種電子機器に用いることができる。
【図面の簡単な説明】
【００２０】
【図１】本発明の一実施の形態におけるバリスタ部品の一部透視斜視図
【図２】外装部形成前の同バリスタ部品の平面図
【図３】外装部形成前の同バリスタ部品の断面図
【図４】従来のバリスタ部品の一部透視斜視図
【図５】外装部形成前の同バリスタ部品の断面図
【符号の説明】
【００２１】
２２  バリスタ素子
２４  上面電極
２６  下面電極
２８  導電性接着剤
３０  第１リード端子
３２  第２リード端子
３４  外装部
３６  貫通孔
【図１】
2006196817.tif 000003
【図２】
2006196817.tif 000004
【図３】
2006196817.tif 000005
【図４】
2006196817.tif 000006
【図５】
2006196817.tif 000007